(57)【特許請求の範囲】
【請求項１】
−支持体（２）と、
−次の少なくとも３つの測定目盛りすなわち
−ほぼ同心円状の目盛（１１、１３）を含む睫毛の長さの測定目盛り（１０）
−ほぼ半径方向に延びる目盛（２１）を含む睫毛の密度の測定目盛り（２０）
−角度目盛（３１）を含む、睫毛の湾曲度の測定目盛り（３０）
のうちの少なくとも１つとを含み、
支持体は、一つまたは複数の目盛りが配置される領域が少なくとも透明である、睫毛の評価装置（１）。
【請求項２】
上記の３つの目盛りのうち少なくとも２つを含む請求項１に記載の装置。
【請求項３】
上記３つの目盛りを同時に含む、請求項１に記載の装置。
【請求項４】
睫毛の密度の測定目盛り（２０）の目盛（２１）が、睫毛の長さの測定目盛（１１、１３）と交差する、請求項１から３のいずれか一項に記載の装置。
【請求項５】
睫毛の密度の測定目盛りの目盛（２１）が、睫毛の長さの測定目盛に垂直である、請求項４に記載の装置。
【請求項６】
支持体が凹状の縁（３）を有する、請求項１から５のいずれか一項に記載の装置。
【請求項７】
睫毛の長さの測定目盛が、凹状の縁（３）に実質的に平行である、請求項６に記載の装置。
【請求項８】
睫毛の長さの測定目盛（１１、１３）が、凹状の縁（３）からの距離を示すように配置されている、請求項６または７に記載の装置。
【請求項９】
睫毛の長さの測定目盛が、基準集団の睫毛の平均長さを示す目印（１３）を含む、請求項１から８のいずれか一項に記載の装置。
【請求項１０】
睫毛の密度の測定目盛が、凹状の縁（３）に垂直に配向されている、請求項６に記載の装置。
【請求項１１】
支持体（２）が直線状の縁（４）を含み、睫毛の湾曲度の測定目盛が、この直線状の縁の一点を中心とした角度を示す、請求項１から１０のいずれか一項に記載の装置。
【請求項１２】
睫毛の湾曲度の測定目盛の中心が、目印（３５）により示される、請求項１１に記載の装置。
【請求項１３】
支持体が完全に透明である、請求項１から１２のいずれか一項に記載の装置。
【請求項１４】
睫毛の長さ、密度、および湾曲度の少なくとも一つが上記装置を用いて測定される、請求項１から１３のいずれか一項に記載の評価装置による睫毛の評価方法。
【請求項１５】
評価の最中、凹状の縁（３）は、目を閉じたときに睫毛の上にくるように目蓋にほぼ接して導かれ、睫毛が支持体を介して透かして観察される、請求項１４に記載の睫毛の評価方法。
【請求項１６】
睫毛の密度は、目を閉じて、凹状の縁（３）を目蓋とほぼ接触させて支持体を睫毛上に導き、睫毛の密度測定目盛り（２０）のうちの連続する２つの目盛（２１）の間に画定される領域ごとの睫毛の数を数えることによって評価される、請求項１４または１５に記載の睫毛の評価方法。
【請求項１７】
睫毛の湾曲度は、目を開けて、装置の直線状の縁（４）をほぼ目蓋の延長線上に配向し、角度目盛が、睫毛の方向によって形成される角度を表すようにすることによって評価される、請求項１４から１６のいずれか一項に記載の睫毛の評価方法。
【請求項１８】
−化粧品または睫毛ケア製品と、
−上記製品と一緒に包装される請求項１から１３のいずれか一項に記載された評価装置（１）とを含むセット。
【発明の詳細な説明】
【技術分野】
【０００１】
本発明は、睫毛の評価に関する。
【背景技術】
【０００２】
人の睫毛の長さ、湾曲度、または密度等の、睫毛の幾つかの特徴的なパラメータの値を比較的正確に知ることは、特にこの人に適切な化粧品についてアドバイスするために有用な場合がある。
【発明の開示】
【課題を解決するための手段】
【０００３】
本発明は、こうした必要性に対応することをめざしており、その第１の特徴によれば、
−支持体と、
−次のような少なくとも３つの測定目盛りすなわち
−ほぼ同心円状の目盛を含む睫毛の長さの測定目盛り
−ほぼ半径方向に延びる目盛を含む睫毛の密度の測定目盛り
−角度目盛を含む、睫毛の湾曲度の測定目盛り
のうちの少なくとも１つとを含み、
−支持体が、一つまたは複数の目盛りが配置される領域で少なくとも透明である、睫毛の評価装置によってこれを達成する。
【０００４】
本発明にかかる装置は比較的製造が安価で、使いやすい。
【０００５】
評価装置は、上記の３つの目盛りの少なくとも２つを含むのが好ましく、３つの目盛りを同時に含むのが一層好ましい。
【０００６】
支持体は、完全に透明でもよい。
【０００７】
本発明の実施例では、睫毛の密度の測定目盛りが、睫毛の長さの測定目盛と例えば垂直に交差する。
【０００８】
支持体は、曲率半径が比較的目蓋の曲率半径に近い凹状の縁を含むことができ、睫毛の長さの測定目盛は、この凹状の縁に実質的に平行（同心状）とすることができ、この凹状の縁からの距離を示すように配置されている。
【０００９】
睫毛の長さの測定目盛は、基準集団の睫毛の平均長さを示す目印を含むことができる。そのため、ユーザは、睫毛が平均よりも長い方か短い方かを容易に知ることができる。
【００１０】
睫毛の密度の測定目盛は、上記の凹状の縁と垂直に交差する方向に伸びているのが好ましい。
【００１１】
支持体は、また、直線状の縁を含むことが可能であり、睫毛の湾曲度の測定目盛が、この直線状の縁の一点を中心とした角度を示し、この点の場所を目印で知らせることができる。
【００１２】
各目盛りは、少なくとも２つの目盛を含むことができる。
【００１３】
本発明は、また、別の特徴によれば、睫毛の長さ、密度、および湾曲度の少なくとも一つが上記装置を用いて測定される、睫毛の評価方法を対象とする。
【００１４】
この評価方法は、何もつけていない睫毛にも、たとえば製品の効果を評価しようとする場合には、化粧を施された睫毛のような処理された睫毛にも用いることができる。  
【００１５】
評価に際して、上記の凹状の縁は、目を閉じたときに睫毛の上にくるように目蓋の際にほぼ沿って置き、睫毛は、支持体を介して透かして観察可能である。
【００１６】
睫毛の長さは、睫毛の先端とほぼ一致する一つまたは複数の目盛によって決定できる。
【００１７】
睫毛の密度も同様に評価可能であり、目を閉じて、凹状の縁（３）を目蓋とほぼ接触させて支持体を睫毛上に導き、睫毛の密度測定目盛りの連続する２つの目盛の間の領域ごとの睫毛の数を数えることによって評価可能である。
【００１８】
睫毛の湾曲度は、目を開けた状態で、装置の直線状の縁をほぼ目蓋の際の線と垂直に置き、睫毛の方向が示す角度を角度目盛りを読み取ることで評価可能である。
【００１９】
本発明は、また、
−化粧品または睫毛ケア製品と、
−上記製品と一緒に包装される前述のような評価装置とを含む、セットを対象とする。
【００２０】
本発明は、また、別の特徴によれば、
−睫毛の長さ、密度、および湾曲度の少なくとも一つを前述のような評価装置を用いて評価するステップと、
−評価の結果に応じて少なくとも一つのアドバイスを提供するステップとを含む、睫毛に塗布すべき製品の処方方法を対象とする。
【００２１】
本発明は、また、別の特徴によれば、
−睫毛の長さ、密度、および湾曲度の少なくとも一つの特徴を前述のような装置を用いて評価する第１の評価を実施するステップと、
−化粧処理を実施するステップと、
−評価を更新し、睫毛の長さ、密度、および湾曲度の少なくとも一つを処理の前と後で比較するステップと、
−比較に基づいて睫毛への処理の効果を評価するステップとを含む、睫毛の化粧処理の効果の評価方法を対象とする。
【００２２】
こうした処理は、睫毛への化粧品の塗布を含むことができ、場合によっては、睫毛を湾曲および／または伸ばすように構成された、たとえば加熱コーム等のアプリケータの使用を含むことができる。
【００２３】
さらに、別の特徴によれば、本発明は、睫毛の長さ、密度、および湾曲度の少なくとも一つを前述のような装置を用いて評価し、この評価結果に応じて睫毛への製品の作用を引き立たせることからなるステップを含む、睫毛に塗布すべき製品の販売促進方法に関する。
【００２４】
本発明は、限定的でない例として挙げた実施例に関する、以下の詳細な説明と添付図面によって、いっそう明瞭に理解することができる。
【発明を実施するための最良の形態】
【００２５】
図１に示した評価装置１は、たとえば透明な熱可塑性材料で製造された透明な支持体２を含む。
【００２６】
支持体２は、評価される集団の目蓋の曲率にほぼ合わせた曲率半径の凹状の縁３を備える細長い形状を呈し、この曲率半径は、たとえば日本人の集団の場合は約３０ｍｍである。
【００２７】
支持体２は、また、凹状の縁３と同じ側に配置されて例えば曲率半径約５ｍｍの丸みを帯びた部分６により凹状の縁から連続する直線状の縁４を含む。直線状の縁４の長さは、たとえば８ｃｍ以上である。
【００２８】
装置１は、凹状の縁３と同心円状で半径方向にたとえば互いに１ｍｍ間隔である一連の目盛１１を備えた、睫毛の長さ測定用の目盛り１０を含む。
【００２９】
目盛り１０は、対応する目盛から凹状の縁３までの距離を知らせるために、たとえば数字の目盛１２を含むことができる。
【００３０】
目盛１１の中で、基準集団、考慮された例では日本人の集団に対して、たとえば睫毛の平均長さ、この場合は７ｍｍである平均長さをユーザに知らせるために、目盛１３は他の目盛りと区別されていても良い。
【００３１】
装置１は、また、たとえば等角度隔てられて半径方向に伸びる目盛２１を備えた、睫毛束の密度測定目盛り２０を含み、考慮された実施例では、目盛２１が目盛１１に対して垂直に配向されている。
【００３２】
連続する２つの目盛２１は、たとえば、目盛１３との交差位置で約１ｍｍ間隔である。
【００３３】
装置１は、睫毛の湾曲度の測定目盛り３０を含む。
【００３４】
この目盛り３０は、直線状の縁４に配置されて目印３５によって示される中心に向かって一点で交わる方向を向いた目盛３１を含む。場合によっては、目盛３１は、数字の表示３２と組み合わされ、直線状の縁４から対応する目盛までの測定角度αを表示する。
【００３５】
各目盛り１０、２０、３０の目盛は、たとえば金型の適切なエッチングによる凹凸および／または印刷によって、支持体２の上に形成することができる。
【００３６】
睫毛の長さを測定する場合、装置１は、図２に示したように目を閉じた時に睫毛の束に当てることができ、凹状の縁３は、目蓋にほぼ接して睫毛の束の基部に導かれる。
【００３７】
睫毛の長さは目盛１１により与えられ、睫毛は、支持体２を介して透かして観察される。
【００３８】
睫毛の束の密度は、連続する２つの目盛２１の間の睫毛の数を数えることによって測定可能である。
【００３９】
睫毛の湾曲度を測定する場合は、開いた目の前に直線状の縁４を合わせ、目蓋に対してほぼ接線方向（目蓋の際と直交方向）に当てればよい。
【００４０】
角度目盛３１は、目蓋から離れる睫毛の向きを知ることができ、目印３５は、睫毛の基部に配置される。目盛３１は、たとえば１０°のピッチで０〜１８０°に及ぶ角度範囲をカバーする。
【００４１】
図３では、日本人の集団の平均睫毛の湾曲度である８０．９°の向きを示した。
【００４２】
装置１は、また、たとえば、半径方向の目盛２１と平行に伸びる睫毛の数と、該目盛と交差する睫毛の数と、場合によっては睫毛が交差する該目盛の数を数えることによって、睫毛の構成あるいはまとまり具合を評価するために使用することも可能である。
【００４３】
装置１は、顧客の睫毛の類型を評価して顧客に適切な製品を処方するために、たとえばアドバイザーが取り扱いを行うことによって、販売店で使用可能である。
【００４４】
装置１は、また、図４に示したように、箱、袋、ブリスターパック、または化粧箱などの共通包装材５０の中に、たとえば化粧品または睫毛ケア製品といった睫毛塗布用製品Ｐと組み合わせて消費者に提案することができる。
【００４５】
本発明は、上記の実施例に限定されるものではない。たとえば支持体２の形状を変えたり、睫毛の測定目盛りの一つまたは二つをなくしたりすることが可能である。
【００４６】
「含む」という表現は、反対の指示のない限り、「少なくとも一つを含む」と同義語として理解すべきである。
【図面の簡単な説明】
【００４７】
【図１】本発明による装置の一例を示す正面図である。
【図２】睫毛の長さと密度を測定するために図１の装置の使用を示す図である。
【図３】睫毛の湾曲度を測定するために図１の装置の使用を示す図である。
【図４】本発明による装置を含むセットを示す図である。
【符号の説明】
【００４８】
１  睫毛の評価装置
２  支持体
３  凹状の縁
４  直線状の縁
１０  睫毛の長さの測定目盛り
１１、１３  目盛
２０  睫毛の密度の測定目盛り
２１  目盛
３０  睫毛の湾曲度の測定目盛り
３１  角度目盛
３５  目印
【図１】
0005279213.tif 000002
【図２】
0005279213.tif 000003
【図３】
0005279213.tif 000004
【図４】
0005279213.tif 000005